(57)【要約】【課題】  ズボン、スカート等衣類のベルト通し片に繋留した状態で、衣類におけるベルト着用個所の内面と着用者自身の身体との間に挟み込んで隠し置くようにした形式の、紛失、盗難、スキミング防止用カードケースを新規に提供する。【解決手段】  カードケース本体と、当該カードケース本体を衣類のベルト通し片に繋留するチェーン等製の繋留用紐状体から構成され、カードケース本体には繋留用紐状体の繋留部が設けられ、繋留用紐状体にはベルト通し片に対する着脱機能部が設けられ、繋留用紐状体によりベルト通し片に繋留されたカードケース本体は、ベルト通し片に繋留した状態で、衣類におけるベルト着用個所の内面と着用者自身の身体との間に挟み込んで隠し置きしうるようにされ、且つスキミング防止のためのスキミング防止用フイルムが内蔵されたことを特徴とする。【選択図】  図９
0003125729.tif 000002
【実用新案登録請求の範囲】
【請求項１】
カードケース本体と、当該カードケース本体を衣類のベルト通し片に繋留するチェーン等製の繋留用紐状体から構成され、カードケース本体には繋留用紐状体の繋留部が設けられ、繋留用紐状体にはベルト通し片に対する着脱機能部が設けられ、繋留用紐状体によりベルト通し片に繋留されたカードケース本体は、ベルト通し片に繋留した状態で、衣類におけるベルト着用個所の内面と着用者自身の身体との間に挟み込んで隠し置きしうるようにされたことを特徴とする防犯型カードケース。
【請求項２】
カードケース本体は、カードを個別に出し入れする多段構成のカード収納部と、当座用の小額紙幣、重要メモ等を隠し入れて置くための紙幣等収納部を備えていることを特徴とする請求項１記載の防犯型カードケース。
【請求項３】
カードケース本体に対する繋留用紐状体の繋留部は、カードケース本体の背面に設けた舌状止め片と、当該止め片の先端をカードケース本体の背面に止めるホック等係止具により構成されていることを特徴とする請求項１又は２記載の防犯型カードケース。
【請求項４】
繋留用紐状体は、繋留用紐状体主部と、その両端を連結状態及び切離状態にする構成にされたベルト通し片への着脱機能部を備えていることを特徴とする請求項１〜３のいずれか一つに記載の防犯型カードケース。
【請求項５】
繋留用紐状体主部は、チェーン、ゴム紐、組紐、織紐から択一された素材製であることを特徴とする請求項１〜４のいずれか一つに記載の防犯型カードケース。
【請求項６】
着脱機能部は、繋留用紐状体主部の両端に連結部材を介して連結された一対の回転操作体と、これら回転操作体の回転操作により螺合し且つ反対方向の回転操作により当該螺合が解消する構成にされた雄螺子及び雌螺子とにより構成され、また上記連結部材は主部の連結用環状部と軸部により構成されると共に当該軸部は回転操作体に軸孔を設け且つ当該軸孔に回転可能及び抜け外れ不能に挿止されていることを特徴とする請求項１〜５のいずれか一つに記載の防犯型カードケース。
【考案の詳細な説明】
【技術分野】
【０００１】
本考案は、ズボン、スカート等衣類のベルト通し片に繋留した状態で、衣類におけるベルト着用個所の内面と着用者自身の身体との間に挟み込んで隠し置くことにより所持することができようにした形式の、カード専用の防犯型カードケースに関する。
【背景技術】
【０００２】
現在、キャッシュカード、ポイントカード等のカードを個別に格納する構造にされたカード入れ部を一体に有する財布は、多くの人に使用されている。
【０００３】
他方、ＩＴ時代になってキャッシュカードの種類、クレジットカードの種類、ポイントカードの種類も多様になり、４０代以下の女性の３割超が１０枚以上のカードを保有しているとのデータを記事にしている新聞がある程である。
【０００４】
ともあれ、個人が財布のカード入れ部に入れて所持する枚数は、格段に殖えて来ている。そのため、知らぬ間に財布が分厚くなり、嵩張って所持・携帯・管理等に不便を感じることも少なくないのみならず、このようにカードの枚数が多くなると、これらを出し入れすること及びこれに伴ってお札が露呈の状態になること等も多くなり、防犯の点からも好ましくない。
【０００５】
また、財布が分厚くなっているほど、洋服のポケット等にいれて携帯されている財布の在り処は、他人には判りやすくなり、スキミング、スリ等の犯罪に遭い易くなる。その上、財布の分厚さで膨れたポケットは、その中にある財布の中のカードの外側にスキマーと呼ばれるカードの磁気記録情報読出装置を重ねる場合の正しい位置取りが、気付かれずに行い易くなるから、結果として被害の対象になり易い。しかも、財布の分厚さで膨れたポケットは、所持者のスタイルを悪い状態にすることも否定できない。
【０００６】
また、カード入れ部を一体に有する財布は、スリ等の犯罪に遭ったり紛失したりした場合には、カードとお金の両方を失うことになるから大きい被害を受けることになる。
【０００７】
とは言え、「かさばる」「なかなかポイントがたまらない」といったような不満を抱きながら、「いつかは使うかも」という淡い期待ゆえか、現実的には財布にいれておくカードの枚数がますます殖える傾向にある。
【０００８】
そこで、本考案者は、上記のような現状に鑑み、財布と別にカード専用として所持管理できる形式の防犯型カードケースを提供すれば、上記の分厚くなることを難なく解決できると考え、カードを個別に格納する構造にしたカード入れ部を一体に有するカード専用の防犯型カードケースを提供することを第１の課題とし、盗難、紛失に対処できるようにすることを第２の課題とし、所持者のスタイルを悪くしないようにすることを第３の課題とし、被害を顕著に少なくすることを第４の課題として本考案を完成させたものである。
【０００９】
【特許文献１】なお、本願出願人は、上記第１〜４の課題を解決しうる専用の防犯型カードケースに特化して先行技術を調査したが、関連する先行技術文献を見出すことができなかった。
【考案の開示】
【考案が解決しようとする課題】
【００１０】
本考案は、上記のような問題点を解消するために案出したものであって、財布が分厚い状態になることを解消し、よって上記のような盗難、紛失の少減化、スタイル悪化の解消及び被害の軽減化等に貢献できるようにした新規の防犯型カードケースを提供することを目的とする。
【課題を解決するための手段】
【００１１】
上記目的を達成するために、本考案の請求項１に係る防犯型カードケースは、カードケース本体と、当該カードケース本体を衣類のベルト通し片に繋留するチェーン等製の繋留用紐状体から構成され、カードケース本体には繋留用紐状体の繋留部が設けられ、繋留用紐状体にはベルト通し片に対する着脱機能部が設けられ、繋留用紐状体によりベルト通し片に繋留されたカードケース本体は、ベルト通し片に繋留した状態で、衣類におけるベルト着用個所の内面と着用者自身の身体との間に挟み込んで隠し置きしうるようにされたことを特徴とする。
【００１２】
すなわち、本考案の請求項１に係る防犯型カードケースによれば、キャッシュカード、クレジットカード、ポイントカード等のカード、特に重要なキャッシュカードは、財布とは別個に、衣類におけるベルト着用個所の内面と着用者自身の身体との間に挟み込んで隠し置くことができ、財布が分厚い状態になることを解消できるから、上記のような盗難、紛失の少減化、スタイル悪化の解消及び被害の軽減化等が達成できる。しかも、何らかの都合で本考案に係る防犯型カードケースの存在を意識せずに、ベルトを弛めたり外したりすることがあっても、当該防犯型カードケースは、繋留用紐状体によりベルト通し片に繋留されているから、その紛失を回避できる。しかも、上記隠し置き状態にされた場合には、ズボン縁部及びベルトにより外側から抑えられるから、位置ズレ等が起き難い。
【００１３】
そして、請求項２に係る防犯型カードケースは、請求項１記載の防犯型カードケースに関し、カードケース本体が、カードを個別に出し入れする多段構成のカード収納部と、当座用の小額紙幣、重要メモ等を隠し入れて置くための紙幣等収納部を備えていることを特徴とする。
【００１４】
すなわち、請求項２に係る防犯型カードケースは、カードを個別に出し入れする多段構成の各カード収納部には、カードを整理して格納することができるから、収納・管理の容易性、使い勝手の良さ・易さに優れているのみならず当座用の小額紙幣、重要メモ等を隠し入れて置くための紙幣等収納部を備えているので、注意しているにも拘らず不本意にも財布を紛失したり金員の不足が生じたりしたときには、これに取り敢えず対処できるから、大事に至る事態の回避に役立つものである。
【００１５】
請求項３に係る防犯型カードケースは、請求項１又は２記載の防犯型カードケースに関し、カードケース本体に対する繋留用紐状体の繋留部が、カードケース本体の背面に設けた舌状止め片と、当該止め片の先端をカードケース本体の背面に止めるホック等係止具により構成されていることを特徴とする。
【００１６】
したがって、カードケース本体に対する繋留用紐状体の繋留操作は、ホック等係止具を外した状態で舌状止め片の内側に繋留用紐状体の主体を位置させてからホック等係止具を係止する要領により容易に繋留することができる。
【００１７】
請求項４に係る防犯型カードケースは、請求項１〜３のいずれか一つに記載の防犯型カードケースに関し、繋留用紐状体が、繋留用紐状体主部と、その両端を連結状態及び切離状態にする構成にされたベルト通し片への着脱機能部を備えていることを特徴とする。
【００１８】
したがって、この請求項４に係る防犯型カードケースは、ベルト通し片に対する繋留用紐状体の取付操作は、上記着脱機能部を切離状態にした状態でズボン、スカート等衣類のベルト通し片に通したのち連結状態にする要領により容易に繋留することができる。
【００１９】
請求項５に係る防犯型カードケースは、請求項１〜４のいずれか一つに記載の防犯型カードケースに関し、繋留用紐状体主部が、チェーン、ゴム紐、組紐、織紐から択一された素材製であることを特徴とする。
【００２０】
したがって、繋留用紐状体主部は、チェーン製にされた場合、ゴム紐製にされた場合、組紐製にされた場合、若しくは織紐製にされた場合での実施が可能であり、豊富なアイテムの要求にも応答できるのみならず例えば、特にゴム紐製である場合には、任意に伸縮できるから、カードケース本体をベルト通し片に繋留した状態で、当該カードケース本体を衣類におけるベルト着用個所の内面と着用者自身の身体との間に挟み込んで隠し置き状態にする操作、又は抜き取る操作をより容易にできる。また、上記素材による実施によるときには、図９に示すチェーンによる実施のように、カードケース本体及び繋留用紐状体が衣類の中に隠れた、目に付き難い状態になるから防犯には好適である。
【００２１】
請求項６に係る防犯型カードケースは、請求項１〜５のいずれか一つに記載の防犯型カードケースに関し、着脱機能部が、繋留用紐状体主部の両端に連結部材を介して連結された一対の回転操作体と、これら回転操作体の回転操作により螺合し且つ反対方向の回転操作により当該螺合が解消する構成にされた雄螺子及び雌螺子とにより構成され、また上記連結部材が、主部の連結用環状部と軸部により構成されると共に当該軸部は回転操作体に軸孔を設け且つ当該軸孔に回転可能及び抜け外れ不能に挿止されていることを特徴とする。
【００２２】
すなわち、この請求項６に係る防犯型カードケースにあっては、単純な回転操作体の回転操作により着脱機能部の連結及び切離ができる利点があるのみならず当該回転操作体の回転操作の場合には、その回転が軸部を中心にして行われるので、繋留用紐状体主部が捩れたり擦れ切れ等で破損したりすることがなく、しかも、着脱機能部の連結は、雄螺子と雌螺子の螺合によるので切離の状態にはなりにくく且つ当該螺合部分が止め片の中に納められた状態（図７〜９参照）になって当該止め片により保護されるから、濫りに外れることがなく、安全である。
【考案の効果】
【００２３】
本考案によれば、上記の通りであるので、カードを個別に格納する構造にしたカード入れ部を一体に有するカード専用の防犯型カードケースを提供でき、これにより財布が分厚い状態になる事態を解消することができるのみならず盗難、紛失等に対処できるようにすること、所持者のスタイルを悪くしないようにすること、被害を顕著に少なくすること等ができ、所期の目的を完全に達成できる。
【考案を実施するための最良の形態】
【００２４】
以下、本考案に係る防犯型カードケースの実施の形態を図面に基づき説明する。なお、図１は全体を示す斜視図であり、図２は同じく一部を拡大した分解斜視図であり、図３はカードケース本体を示す展開外側図であり、図４は同じく展開内側図であり、図５は図３A-A線に沿う断面略図であり、図６〜９は着用手順を示す斜視図であり、図１０(a)(b)はそれぞれ別異の実施例を示す斜視図である。
【００２５】
まず、図中において示す符号１は、カードケース本体であり、２は、当該カードケース本体１をズボン３のベルト通し片４への繋留用紐状体である。
【００２６】
上記のカードケース本体１は、皮革又は合皮製のシート５a、５bの間に電磁波を遮断（シールド）するスキミング防止用フイルム（カードデータの盗難防止用フイルム）５cを挟み入れた構成の２つに折り畳み可能な外被部材５と、当該外被部材５の一方半分部分６の内面に３枚の内被部材７a、７b、７cを僅かずつズラして重ねると共にこれら内被部材７a、７b、７cの内辺を除いた全周縁を上記一方半分部分６に止着することにより設けられた個別にカード８a、８b、８cを出し入れしうる多段構成のカード収納部９a、９b、９cと、上記外被部材５の他方半分部分１０の内面に１枚の内被部材７dを重ねると共に当該内被部材７dの内辺を除いた全周縁を上記他方半分部分１０に止着することにより設けた当座用の小額紙幣１１、重要メモ等を隠し入れておく等のための紙幣等収納部１２と、から構成されている。なお、ここではカードケース本体１を２つ折り構造にしてあるが、本考案は３つ折り以上の折り畳み構造で実施することができる。
【００２７】
上記の他方半分部分１０は、上記カード収納部９a、９b、９cの開口を開閉する蓋の機能を果すようにされ、その閉じ状態は、図中符号１４a、１４b、１４a、１４bで示す２対からなる雌雄の面状ファスナーの噛合により維持される。具体的には、雄の面状ファスナー１４b、１４bを上記内被部材７dの左右両隅部の外面に取付け、また雌の面状ファスナー１４a、１４aを上記内被部材７aの外面に対して他方半分部分１０が閉じ状態にされたときに上記雄の面状ファスナー１４b、１４bと噛合する配置として取付けることにより、上記蓋の機能を果す他方半分部分１０の捲くれ上りを防止するようにしてある。上記面状ファスナーに替えてホック等係止具を用いること、これら面状ファスナー、ホック等係止具を設けないで実施することは自由である。なお、図中符号１５は吊下げ用紐通し孔を示す。
【００２８】
さらに、上記の外被部材５の一方半分部分６の外面には、上記繋留用紐状体２を着脱するための舌片状の繋留部１６が設けられている。この繋留部１６は、舌状止め片１６aの基端部１７が一方半分部分６の外面に縫着され且つ先端部１８が雌・雄ホック１９a、１９bにより止着され、当該雌・雄ホック１９a、１９bの係合・離脱操作により繋留用紐状体２の繋留及びその解消を果すようにされている。なお、符号２０は、雌・雄ホック１９a、１９bが離脱状態にあるときに繋留用紐状体２を濫りに外れ落ちないように保持しておくための仮止用片である。この仮止用片２０は設けないで実施することができる。
【００２９】
また、上記の繋留用紐状体２は、金属チェーン製の繋留用紐状体主部２２と、その両端を連結状態及び切離状態にする構成にされたベルト通し片４への着脱機能部２３により構成されている。
【００３０】
上記着脱機能部２３は、繋留用紐状体主部２２の両端に金属線製の連結部材２４を介して連結された一対の回転操作体２４a、２４bと、これら回転操作体２４a、２４bの回転操作により螺合し且つ反対方向の回転操作により当該螺合が解消する構成にされた雄螺子２５a及び雌螺子２５bとにより構成され、また上記連結部材２４は、繋留用紐状体主部２２の連結用環状部２６と軸部２７により構成されると共に当該軸部２７は各回転操作体２４a、２４bに軸孔２７aを設け且つ当該軸孔２７aに回転可能及び抜け外れ不能に挿止されている。なお、当該抜け外れ不能状態は、図には示していないが、軸部２７の先端を軸孔２７aの径よりも大きい膨大構成にして実現されている。
【００３１】
なお、上記の繋留用紐状体２は、図１０(a)に示すようなゴム紐２８を用いた伸縮可能な形式のもの、図１０(b)に示すようなチェーン２９をナス環３０を用いて連結した形式のもの等で実施することができる。
【００３２】
すなわち、上記実施の形態に係る防犯型カードケースは、先ず、図６に示すように、繋留用紐状体２をズボン３のベルト通し片４に通して着脱機能部２３を連結状態にしたのち、図７に示すように、カードケース本体１に設けた仮止用片２０に着脱機能部２３を引掛けたのち、この引掛け状態を維持しつつ、図８に示すように、舌状止め片１６aの雄ホック１９bをカードケース本体１側の雌ホック１９aに係合させる。次に、図９に示すように、カードケース本体１及び繋留用紐状体２をズボン３と身体との間に挿し込んで当該カードケース本体１及び繋留用紐状体２を外から見えないようにする要領でズボン３に取り付ける。
【００３３】
なお、図９では、繋留用紐状体２すなわちチェーンの一部分が、ベルト通し片４の上端のところにおいて少し露呈しているが、着衣の弛み部分等で上手く隠せるから、結果として外部からはちょっとも気付かれなく、紛失、盗難、スキミングを防止できる。また、カードケース本体１は、上記したようにズボン３と身体との間に挿し込まれた状態になるから、繋留用紐状体２の切断や使い方の拙さ等が原因で、知らないうちに、ベルト通し片から外れてしまうようなことが起きてもズボンの中に落ちることになるので、結果として本人が気付いて回収できることが多く、紛失を未然に防ぎうる利点がある。
【００３４】
また、カード８a、８b、８c等を取り出して使用したい場合には、カードケース本体１を抜き出し、この抜き出し状態でカードケース本体１を開いてその中から必要とするカード等を出し、当該カードの用済み後にはカードケース本体１に戻し入れ、その後は上記同様にして、カードケース本体１及び繋留用紐状体２をズボン３と身体の間に戻せばよい。
【００３５】
また、ズボン３から外したい場合には、上記の要領を逆に行うことで容易に外すことができる。
【００３６】
なお、繋留用紐状体２が、上記した伸縮可能形式のものである場合には、伸縮自在である分、上記要領を行い易い利点があり、また、チェーンを用いた掛外し形式のものである場合には、丈夫さがあり、耐用性に優れている利点がある。
【００３７】
以上、図に示す実施の形態について説明したが、本考案は、上記実施の形態に限定されるものでなく、実用新案登録請求の範囲に記載された考案の精神を逸脱しない範囲において、布地、合成樹脂地材料等を以て実施したり、着脱機能部２３はフック形式にしたり、スキミング防止用フイルム無しの構成にしたり、紙幣等収納部を設けない構成にしたり、蓋の機能を果す他方半分部分を閉じ状態に維持する雌雄の面状ファスナー等の設け位置を一個所にしたりする等の実施が可能であって、本考案はこれ等にも及ぶものである。
【図面の簡単な説明】
【００３８】
【図１】本考案の実施の形態を示す全体の斜視図である。
【図２】同じく一部分を拡大した分解斜視図である。
【図３】カードケース本体を示す展開外側図である。
【図４】同じく展開内側図である。
【図５】図３A-A線に沿う断面略図である。
【図６】着用手順の第１段階状態を示す斜視図である。
【図７】同じく第２段階状態を示す斜視図である。
【図８】同じく第３段階状態を示す斜視図である。
【図９】同じく第４段階状態を示す斜視図である。
【図１０】それぞれ別異の実施例を示す斜視図である。
【符号の説明】
【００３９】
１  カードケース本体
２  繋留用紐状体
３  ズボン
４  ベルト通し片
５  外被部材
５a、５b  シート
６  一方半分部分
７a、７b、７c、７d  内被部材
８a、８b、８c  カード
９a、９b、９c  カード収納部
１０  他方半分部分
１１  小額紙幣
１２  収納部
１４a、１４b、１４a、１４b  雌雄の面状ファスナー
１５  吊下げ用紐通し孔
１６  繋留部
１６a  舌状止め片
１７  基端部
１８  先端部
１９a、１９b  雌雄ホック
２０  仮止用片
２２  主部
２３  着脱機能部
２４  連結部材
２４a、２４b  回転操作体
２５a  雄螺子
２５b  雌螺子
２６  連結用環状部
２７  軸部
２７a  軸孔
２８  ゴム紐
２９  チェーン
３０  ナス環
【図１】
0003125729.tif 000003
【図２】
0003125729.tif 000004
【図３】
0003125729.tif 000005
【図４】
0003125729.tif 000006
【図５】
0003125729.tif 000007
【図６】
0003125729.tif 000008
【図７】
0003125729.tif 000009
【図８】
0003125729.tif 000010
【図９】
0003125729.tif 000011
【図１０】
0003125729.tif 000012